(57)【特許請求の範囲】
【請求項１】
第１の周波数（ｆ1）で発振し、主歯車列（Ｔ2）によって主脱進機（Ｄ2）を介して主エネルギー源（Ｂ2）に接続された第１の共振子（Ｒ1）と、
前記第１の周波数（ｆ1）と有理数である係数（Ｎ、Ｎ’）との積である第２の周波数（ｆ2）で発振する第２の共振子（Ｒ2）と、を備える時計（１）であって、
前記第２の共振子（Ｒ2）は前記主脱進機（Ｄ2）とも協働し、それによって、前記第２の共振子（Ｒ2）が発振する時のみ、前記主脱進機（Ｄ2）を解放して前記第１の共振子（Ｒ1）を維持することを特徴とする、時計（１）。
【請求項２】
前記主脱進機（Ｄ2）はデテント脱進機であり、前記第１の共振子（Ｒ1）によって制御される第１のデテント（５）及び前記第２の共振子（Ｒ2）によって制御される第２のデテント（７）と協働する、単一のガンギ車（３）を備えることを特徴とする、請求項１に記載の時計（１）。
【請求項３】
前記主脱進機（Ｄ2）はデテント脱進機であり、前記第１の共振子（Ｒ1）によって制御される第１のデテント（１３）と協働する第１のガンギ車（１１）と、前記第２の共振子（Ｒ2）によって制御される第２のデテント（１７）と協働する第２のガンギ車（１５）と、を備え、前記第１及び第２のガンギ車（１１、１５）は互いに噛み合っていることを特徴とする、請求項１に記載の時計（１）。
【請求項４】
前記第２の共振子（Ｒ2）はまた、副歯車列（Ｔ3）によって第２の脱進機（Ｄ3）を介して副エネルギー源（Ｂ3）に接続されていることを特徴とする、請求項１〜３のいずれか１項に記載の時計（１）。
【請求項５】
前記第２の脱進機（Ｄ3）は、Ｓｗｉｓｓレバー脱進機であることを特徴とする、請求項４に記載の時計（１）。
【請求項６】
前記主共振子（Ｒ1）によって制御されるデテント（９）によって形成された配分機構（Ｄ1）に固定された表示部のための歯車列（Ｔ1）に接続された表示エネルギー源（Ｂ1）を備える時間表示デバイス（Ａ1）を含むことを特徴とする、請求項１〜５のいずれか１項に記載の時計（１）。
【請求項７】
前記主歯車列（Ｔ2）に接続された時間表示デバイス（Ａ2）を含むことを特徴とする、請求項１〜５のいずれか１項に記載の時計（１）。
【請求項８】
前記主脱進機（Ｄ2）を選択的にロックするための手段（Ｃ）を含み、前記選択的ロック手段（Ｃ）を解放することによって、前記第１の共振子（Ｒ1）を使用する時間を計測することを特徴とする、請求項４又は５に記載の時計（１）。
【請求項９】
計測した前記時間を表示するためのデバイス（Ａ1）を含み、前記主共振子（Ｒ1）によって制御される配分機構（Ｄ1）に固定された前記表示部のための歯車列（Ｔ1）に接続された表示エネルギー源（Ｂ1）を備えることを特徴とする、請求項８に記載の時計（１）。
【請求項１０】
前記副歯車列（Ｔ3）に接続された時間表示デバイス（Ａ3）を含むことを特徴とする、請求項８又は９に記載の時計（１）。
【請求項１１】
単一のエネルギー源（Ｂ1、Ｂ2、Ｂ3）を含むことを特徴とする、請求項１〜１０のいずれか１項に記載の時計（１）。
【発明の詳細な説明】
【技術分野】
【０００１】
本発明は、脱進機によって断続的に同期される複数の発振子を含む時計に関する。
【背景技術】
【０００２】
一般に、腕時計の調節部材は、高調波の、減衰した、ほぼ等時性の共振子で形成されており、その発振は脱進機システムで維持する。脱進機システムは、（レバー脱進機の場合）発振振動ごとに、又は（デテント脱進機の場合）発振周期ごとに、エネルギーを共振子に伝達する。
【０００３】
共振子とも呼ばれる調節部材の発振の維持には、いくつかの問題が存在する。よって、共振子へのエネルギーの伝達は、その伝達が共振子の静止点に関して対称でない全ての場合において、共振子の周波数（従って腕時計の進度）を妨害する。更に、振動ごと（又は周期ごと）に脱進機が消費するエネルギーと、共振子の周波数とが、腕時計のパワーリザーブを決定するため、これが制限される。
【０００４】
その上、発振子の振幅が幾何学的な理由で制限されるため、発振子のエネルギー（及び、従って発振子の外的妨害に対する安定性）を増大させるためには、発振子の弾性定数を増大させなければならず、これは高周波数の発振子を始動させることが不可能であることを意味し得る。
【０００５】
最後に、脱進機の平均効率及び効率の変動は、とりわけ脱進機の構成要素の加速の影響を受ける。そのため、共振子が素早く元に戻るほど、効率と時定数は高くなることになる。したがって、非常に周波数の高い共振子においては、必然的に損失が増加し（かつパワーリザーブが減少し）、及び／又は効率の変動が増大する。
【発明の概要】
【発明が解決しようとする課題】
【０００６】
本発明の目的は、周波数（向上した表示分解能）と機械的エネルギー（向上した安定性と正確性）が増大し、発振の維持とパワーリザーブも向上した時計を提案することによって、上述の欠点の全て又は一部を克服することである。
【課題を解決するための手段】
【０００７】
従って、本発明は、第１の周波数で発振し、主歯車列によって主脱進機を介して主エネルギー源に接続された、第１の共振子と、第１の周波数と有理数である係数との積である第２の周波数で発振する第２の共振子と、を含む時計に関し、第２の共振子は主脱進機とも協働し、それによって、第２の共振子が発振する時のみ、主脱進機を解放して第１の共振子を維持することを特徴とする。
【０００８】
本発明によって、共振子の維持周波数を、共振子の周波数より低く低減することができることは明らかである。また、本発明によって、特に、脱進機の機能の効率を向上させることによって、パワーリザーブのプリザーブ中に高周波数ムーブメントを確実にオートスタートさせることができる。さらに、本発明は、時計の外部からの妨害によって発生する進度誤差を実質的に削減する。
【０００９】
本発明の他の有利な特徴については、以下の通りである。
・第１の実施形態によると、主脱進機はデテント脱進機であり、第１の共振子によって制御される第１のデテントばね及び第２の共振子によって制御される第２のデテントと協働する、単一のガンギ車を備える。
・第２の実施形態によると、主脱進機はデテント脱進機であり、第１の共振子によって制御される第１のデテントと協働する第１のガンギ車と、第２の共振子によって制御される第２のデテントと協働する第２のガンギ車とを備え、第１及び第２のガンギ車は互いに噛み合っている。
・これらの実施形態の変形形態によると、第２の共振子はまた、副歯車列によって、第２の脱進機を介して副エネルギー源に接続されている。
・第２の脱進機は、Ｓｗｉｓｓレバー脱進機である。
・変形形態は、デテントによって形成され主共振子によって制御される配分機構に固定された表示部のための歯車列に接続された表示エネルギー源を備える時間表示デバイス、又は主歯車列に接続された時間表示デバイスを含む。
・変形形態の特定の代替形態によると、時計は、主脱進機を選択的にロックするための手段を含み、この選択的ロック手段を解放することによって、第１の共振子を使用する時間を計測する。
・この特定の代替形態は、上述の計測した時間を表示するためのデバイスを含み、このデバイスは、主共振子で制御された配分機構に固定されたディスプレイのための歯車列に接続された表示エネルギー源、及び副歯車列に接続された時間表示デバイスを備える。
【００１０】
他の特徴及び利点は、添付の図面を参照して、非限定的な説明として以下に与えられる説明から明確となるであろう。
【図面の簡単な説明】
【００１１】
【図１】図１は、本発明による時計のエレメントの概略図である。
【図２】図２は、第１の実施形態による主脱進機の概略図である。
【図３】図３は、第２の実施形態による主脱進機の概略図である。
【図４】図４は、図３の点線部分の詳細図である。
【図５】図５は、本発明による複数の共振子の同期を示すグラフである。
【図６】図６は、本発明による時計の、共振子の同期に続く低い衝撃依存性を示すグラフであり、共振子の振幅に関するものである。
【図７】図７は、本発明による時計の、共振子の同期に続く低い衝撃依存性を示すグラフであり、共振子の速度変化に関するものである。
【発明を実施するための形態】
【００１２】
上述したように、本発明の目的は、機械式腕時計に、高い周波数の共振子（例えば１０ヘルツ又は５０ヘルツ又はそれ以上）を組み込むことであり、この共振子の発振維持は低い周波数の共振子（例えば１ヘルツ又は２ヘルツ）によって同期され、それによって共振子が、その周波数より高い周期にわたって維持される。
【００１３】
従って、図１に示す例示的な実施形態において、時計１は、第１の周波数ｆ1で発振し、主歯車列Ｔ2によって主脱進機Ｄ2を介して主エネルギー源Ｂ2に接続された、第１の共振子Ｒ1を含む。有利には、時計１は更に、第１の周波数より低い第２の周波数ｆ2で発振し、同じ主脱進機Ｄ2と協働して、第１の共振子Ｒ1の維持を該第２の周波数ｆ2に同期する、第２の共振子Ｒ2を含む。
【００１４】
好ましくは、本発明によると、第２の周波数ｆ2は第１の周波数の分数である（Ｎを１より大きい整数として、ｆ2＝ｆ1／Ｎ又はｆ2＝ｆ1／２Ｎ）。よって、主共振子Ｒ1は副共振子の周期によってのみ維持されることが明白である。
【００１５】
しかし、各発振子で歯車比Ｒiが異なる場合、因数は有理数Ｎ’でもあり得る。実際、この変形形態では、２つの脱進機を固定しているホイール上の周波数は、複数の整数によってリンクされていなければならない。しかし、歯車比は任意に、かつ独立して、発振子の周波数を細分することができる。すると、発振子の周波数は整数によってではなく、有理数（Ｎ’をＮ*Ｒ1／Ｒ2とし、Ｎを１より大きい整数として、ｆ2 ＝ ｆ1／Ｎ’）によってリンクされることになる。
【００１６】
この構成は、有利には、高い分解能（例えば１／２０秒又は１／１００秒）の基本ムーブメント（又はクロノグラフムーブメント）の製作が可能であることを意味する。また、この構成によって、主共振子の正確性や耐衝撃性が増大し、極めて高い周波数（例えば５０ヘルツ）のムーブメントが確実にオートスタートできるようにしながら、パワーリザーブが増大する。最後に、この構成により、振幅の小さい共振子を維持することができ、また、表示用歯車列及び／又は維持用歯車列を部分的又は全体的に省くことができる。
【００１７】
図２に示す第１の実施形態によると、主脱進機Ｄ2はデテント脱進機であり、第１のデテント５と協働し、第１の共振子Ｒ1によって制御される単一のガンギ車３、及び第２の共振子Ｒ2によって制御される第２のデテント７を備える。
【００１８】
例えば、２つの共振子Ｒ1及びＲ2が静止点の周囲に、−２０°、＋２０°の角度間隔で位置している場合、ガンギ車３は自由であると考えることができる。主共振子Ｒ1を確実に維持するために、２つの共振子が大いに異なる位相を有している場合、即ち、それらが２つの異なるモーメントにおいて静止点を通過する場合、副共振子Ｒ2によって主脱進機Ｄ2が解放される角度間隔が増大するように、副共振子Ｒ2のデテント７に工夫してもよい。従って、副共振子Ｒ2のデテント７は、主共振子Ｒ1がガンギ車３をリリースするデテント５の角度よりも大きい角度間隔にわたる解放を含むことが好ましいことは、明らかである。
【００１９】
その結果、デテントが解放されるや否や、発振子に作用するブレーキ力が、発振子の回転の中心にごく近接して適用されるため、これを原因とする摂動トルクは極めて低く、即ち、これにより、副共振子Ｒ2の解放角度を、速度に影響を与えることなく相当に増加させることができる。
【００２０】
衝撃の後、共振子の位相の差が余りに大きく、発振が維持できない場合、主共振子Ｒ1の等時性カーブの増加又は減少によって、数回の発振の後、２つの共振子の間で位相を合わせることができることは明らかである。実際、副共振子Ｒ2の発振と主共振子Ｒ1のＮ回の発振のうちの１つとの間で整相が再確立されるまで、主共振子Ｒ1は振幅を失うことになる。よって、表示の更なる進度誤差が、主共振子Ｒ1の１周期より小さくなるか又はこれと等しくなることは明らかであり、周波数ｆ1が高くなるほど、誤差が小さくなることを意味している。
【００２１】
図３及び図４に示す第２の実施形態によると、主脱進機Ｄ2はデテント脱進機であり、第１の共振子Ｒ1によって制御される第１のデテント１３と協働する第１のガンギ車１１と、第２の共振子Ｒ2によって制御される第２のデテント１７と協働する第２のガンギ車１５とを備え、第１及び第２のガンギ車１１、１５は互いに噛み合っている。よって、構造的に、特に元来の又は衝撃によって誘導される位相差の間に、第１の実施形態と同様の利点が得られることは明らかである。
【００２２】
しかし、第１の実施形態と比べて、共振子Ｒ1及びＲ2は、デテントによって、主歯車列Ｔ2と（並列又は直列で）噛み合っている２つの異なるガンギ車１１及び１５を解放することに注意されたい。ひとたび解放されると、ガンギ車１５は、ガンギ車１１及び従って脱進機Ｄ2がリリースされるまで、再びロックされることはない。この場合、脱進機Ｄ2は、主共振子Ｒ1の発振周期（又は振動）ごと、及び副共振子Ｒ2の発振ごとに解放され、共振子Ｒ1及びＲ2の位相差の維持は独立して保証される。
【００２３】
図４に示す例は、ガンギ車１１，１２，１５，１６とデテント１３，１７との噛み合いを示している。ガンギ車１５は、デテント１７によって副共振子Ｒ2の各発振において頂点の歯部１６で解放され、副共振子Ｒ2のデテントばね１７を介して頂点の歯部１６により再びロックされる前に小さな角度を描く。しかし、ガンギ車１５の動作の間、ガンギ車１１は主共振子Ｒ1のデテント１３によって頂点の歯部１２でロックされたままである。
【００２４】
主共振子Ｒ1が通過すると、ガンギ車１１は、デテント１３によって、頂点の歯部１２で解放され、デテントばね１３によって頂点の歯部１２で、及び／又は、今度は停止デバイスに相当する役割を果たすガンギ車１５によって再びロックされる前に、主共振子Ｒ1が維持されるようにする。勿論、主共振子Ｒ1が通過するとき、副共振子Ｒ2がそれ以前にガンギ車１５を解放していなければ、ガンギ車１１はロックされたままである。
【００２５】
よって、主脱進機Ｄ2のこの２つの実施形態が実質的に同じ利点を提供し、かつ、２つの共振子Ｒ1及びＲ2に対して単一の主脱進機Ｄ2を使用する、即ち、２つの共振子は同一の主エネルギー源Ｂ2を用いて主脱進機Ｄ2によって維持されることは明らかである。
【００２６】
上記２つの実施形態の変形形態によると、第２の共振子Ｒ2はまた、第２の脱進機Ｄ3を介して、副歯車列Ｔ3、副エネルギー源Ｂ3に接続されている。実際、副共振子Ｒ2を主脱進機Ｄ2の外で維持する必要が生じた場合、第２の脱進機Ｄ3（好ましくはＳｗｉｓｓレバー脱進機）が副共振子Ｒ2を維持する。よって、副共振子Ｒ2の各振動において、副共振子は、副歯車列Ｔ3を介して副エネルギー源Ｂ3によって（又は代替として、歯車を用いて主エネルギー源Ｂ2によって）、動力を供給される。
【００２７】
副共振子Ｒ2を主脱進機Ｄ2の外で維持する必要があるこの変形形態の、特定の代替形態が、図１に示されている。この代替形態において、時計１は、主脱進機Ｄ2を選択的にロックする手段Ｃを含み、これは、該選択的ロック手段を解放することによって、第１の共振子Ｒ1を用いて時間を計測するためのものである。よって、構造的に、主共振子Ｒ1がクロノグラフデバイスになり、即ち主共振子Ｒ1は期間の計測中しか動作せず、副共振子Ｒ2が基本ムーブメントである、即ち副共振子Ｒ2は常に動作することは明らかである。当然、この代替形態において、副共振子Ｒ2は好ましくは良好な等時性を有し、上記選択的ロック手段Ｃの解放の後の適切な表示が可能となる。
【００２８】
本発明の利点は、主脱進機Ｄ2の第１の実施形態の変形形態から示された。共振子の弾性定数をｋj、慣性をｍjとすると、その発振周波数は以下の通りである。
【００２９】
【数１】
0005478687.tif 000002
【００３０】
定常振幅Ａjに関して、共振子の機械的エネルギーｊは、以下の通りである。
【００３１】
【数２】
0005478687.tif 000003
【００３２】
各発振における共振子のエネルギー損失ｊは、以下の通りであり、共振子の性質係数Ｑj（これは粘性摩擦に関して、周波数とともに増大する）に依存する。
【００３３】
【数３】
0005478687.tif 000004
【００３４】
脱進機は、同一のエネルギー量を供給しなければならない。共振子に適用されるトルクが所与の角度θjにわたって一定である場合、維持エネルギーは以下の通りである。
【００３５】
【数４】
0005478687.tif 000005
【００３６】
共振子の周波数を増大させることで性質係数Ｑjは増加し、これは時間調整の向上をもたらす。共振子のエネルギーが一定の場合、損失は減少し、維持エネルギーもまた減少する。エネルギー伝達角度を無期限に減少させることはできないため、維持トルクを減少させなければならない。
【００３７】
その上、開始に必要な条件は、維持トルクが共振子の弾性戻りトルクを、その出口角において超えることである。
【００３８】
【数５】
0005478687.tif 000006
【００３９】
これは、共振子の自動開始特性を維持したまま、また同時に、外的妨害に対する安定性が低下している共振子の機械的エネルギーを減少させることなく、維持トルクを無期限に減少させることはできないことを意味する。
【００４０】
また、周波数の増大と維持トルクの減少は、静止点における、即ち、一連のガンギ車の加速が遅い間で、維持が進度誤差をもたらさない瞬間における、より高い共振子速度（ｖ＝２πｆＡ、（６））をもたらすということも認識しなければならない。よって、脱進機が共振子を捕らえられないことによって脱進機の効率が低下するのが観察される。よって、一連のガンギ車は、維持に利用可能な時間の間、共振子のスピードに着いていかなければならない、ということは明らかである。
【００４１】
【数６】
0005478687.tif 000007
【００４２】
ここでｍechは、脱進機の等価慣性である。
【００４３】
最後に、周波数及び共振子のエネルギーが増大する場合、パワーリザーブは必然的に減少するだろう。なぜなら、脱進機が共振子をより頻繁に維持しなければならず、その各場合においてより大きなエネルギーが必要であるからである。
【００４４】
よって、定量的に、周波数ｆが１０Ｈｚ、慣性ｍが２ ｍｇ・ｃｍ2、弾性係数ｋが０．７９μＮｍ・ｒａｄ-1、性質係数Ｑが６００である通常の共振子について、維持エネルギーＥechは実質的に２５ｎＪである。従って、関係式（４）によれば、維持トルクＣechは、５０°の維持角度θjに対して実質的に２８ｎＮｍである。関係式（５）によると項ｋ・qj ／ ２が維持トルクＥechより大きいため、このシステムは自動開始しない。
【００４５】
その一方、静止点を通過する共振子に対応する維持に利用可能な周期は、４０°のｄｔech、即ち、関係式（６）によると、２８０°の振幅Ａに対して２．３ミリ秒にまで減少する。一連のガンギ車の十分な加速を、このような低い維持トルクで達成するために、関係式（７）によると、一連の維持ホイールの慣性を、ほぼ２．１０-3ｍｇ・ｃｍ2の等価慣性にまで相当削減しなければならない。
【００４６】
同じタイプの共振子を本発明による脱進機Ｄ2で維持する場合、周波数ｆ2が１Ｈｚだと、各維持機能において補償されることになる損失エネルギーは２０倍高くなる。同様に、維持角度θjが５０°だと、維持トルクＣechは２０倍高い約０．７μＮｍとなり、自己開始システムは関係式（５）に合う。
【００４７】
同様に、一連の維持ホイールの加速は２０倍に増大し、効率は自由に最適化でき、制約は幾何学的及び摩擦学的なものだけで、力学的なもの及びエネルギー平衡に関する制約はもはや無い。結果として、効率が向上するため、パワーリザーブは必然的に向上する。
【００４８】
本発明の時計の利点を論証するために、連結した運動方程式を数値的に解いた。慣性ｍ2が１０ ｍｇ・ｃｍ2、周波数ｆ2が１ヘルツ、及び性質係数Ｑ2が１５０の副共振子Ｒ2について考察した。また、主共振子Ｒ1は９．６μＪの機械的エネルギーを有し、副共振子Ｒ2は０．５μＪのエネルギーを有する。
【００４９】
図５は、２つの共振子Ｒ1及びＲ2の開始のシミュレーションを示す。高い周波数の主共振子Ｒ1は、約５０秒後に、その静止周波数に戻る。低い周波数の副共振子Ｒ2は、その定常振幅によりゆっくりと戻ることに留意されたい。しかし、これは有意な影響を及ぼすものではない。なぜなら、主共振子Ｒ1へのエネルギーの伝達を調整する機能は、副共振子Ｒ2が数十度だけ元に戻ればすぐに完全に運転可能となるからである。結果として、時計はうまく自動開始でき、また、主共振子Ｒ1に関する定常振幅が１０ヘルツ以上であっても、ほぼこの定常振幅で安定化される。
【００５０】
図６は、２つの共振子Ｒ1及びＲ2が安定化されている時に時計に及ぼされる妨害Ｐのシミュレーションを示す。０．１ mＪの妨害Ｐは、モーメントｔ＝０の時に、ガウス形２０ミリ秒のガウス幅を有する５０ｒａｄ・ｓ-2の瞬間角度加速によって発生する。共振子Ｒ1及びＲ2は、妨害Ｐの前後において、いかなる有意な位相差も生じなかったことに留意すべきである。
【００５１】
更に、図７は、２つの共振子Ｒ1及びＲ2が安定化されている時に時計に及ぼされる、同じ妨害Ｐのシミュレーションを示す。今回は、単一の共振子Ｒxの速度に対して、各共振子の速度を測定する。本発明による脱進機Ｄ2の存在により、単一の共振子Ｒxと比較して進度誤差が増幅されていないことがわかる。従って、主共振子Ｒ1への直接的影響、及び主共振子Ｒ1の維持による共振子Ｒ2への間接的影響は、互いに部分的に補償し合っていることが明らかである。
【００５２】
結果として、本発明の時計の所与の妨害Ｐに対する反応は、同等の、即ち同じエネルギーＥx、同じ周波数ｆx及び同じ振幅Ａxを有する単一の共振子Ｒxの反応と同一であるか、又はそれよりも良好でありさえする。更に、有利には、副共振子Ｒ2は、特に二重の維持に起因する進度誤差を回避することにより、維持機能のトリッピング防止システムを形成する。
【００５３】
上で選択した実施形態、変形形態及び／又は代替形態によると、本発明による時計１は３つのタイプの表示デバイスＡ1、Ａ2及び／又はＡ3を提案する。
【００５４】
第１の表示タイプは、主共振子Ｒ1によって制御される配分機構Ｄ1に固定されたディスプレイＴ1のための歯車列に接続された表示エネルギー源Ｂ1を備える表示デバイスＡ1を含む。本発明によると、好ましくは、配分機構Ｄ1は、主共振子Ｒ1によって制御されるデテント９によって形成され、これによって、主共振子Ｒ1の各周期又は振動において、歯車列Ｔ1に接続されたホイール１０を、第１の共振子Ｒ1に更なる維持トルクを供給することなく解放する。
【００５５】
よって、表示デバイスＡ1は、例えばホイール１０のムーブメントを、例えば最高１／２０秒、又は最高１／１００秒など、向上した分解能で表示することにより、主共振子Ｒ1の高い周波数を生かしていることは明らかである。結果として、上述の２つの実施形態及び／又は変形形態において、表示デバイスＡ1は、向上した分解能で時間を表示することができる。更に、上述の代替形態の場合、表示デバイスＡ1は、計測した時間を向上した分解能で表示することができる。
【００５６】
第２の表示タイプは、副歯車列Ｔ2に接続された時刻表示デバイスＡ2を含む。従って、この表示は、主共振子Ｒ1が維持されているのと同時に起こることが明らかである。この場合、分解能を向上させるためでなく、安定性を向上させるために、高い周波数が使われる。また、この構成は、どの実施形態を使用するかに関わらず、デテント脱進機Ｄ2のための非常に効率的なトリッピング防止システムを形成することも明らかである。
【００５７】
最後に、第３の表示タイプは、副歯車列Ｔ3に接続された時刻表示デバイスＡ3を含む。この第３のタイプは完全に、主共振子Ｒ1が時間計測のためだけに使用される上述の代替形態のためのものである。実際、副共振子Ｒ2が常に動作している唯一のものであるため、時刻表示は副歯車列Ｔ3を用いてしか行うことができない。
【００５８】
以上の説明に鑑みて、本発明により、共振子の維持周波数が、共振子の周波数より小さい値へと減少することは明らかである。また、本発明により、特に脱進機の機能の効率を向上させることによって、高い周波数のムーブメントが、そのパワーリザーブを保護しながら確実に自動開始できる。最後に、本発明により、時計の外部からの妨害によって発生する進度誤差が実質的に減少する。
【００５９】
当然ながら、本発明は上に説明した例に限定されるものではなく、当業者が思いつくであろう様々な変形形態及び代替形態が可能である。特に、本発明の精神から逸脱することなく、他のタイプの共振子及び／又は脱進機が想定可能である。例えば、いくつかの機械的構成要素は、有利には、磁性構成要素で置き換えたり、及び／又は、機能を補助したりすることもできる。
【００６０】
最後に、時計は単一のエネルギー源を備えていてもよく、即ち、装置に装着された単一のエネルギー源がそれぞれ上述のエネルギー源ｓＢ1及び／又はＢ2及び／又はＢ3を形成してもよい。
【図１】
0005478687.tif 000008
【図２】
0005478687.tif 000009
【図３】
0005478687.tif 000010
【図４】
0005478687.tif 000011
【図５】
0005478687.tif 000012
【図６】
0005478687.tif 000013
【図７】
0005478687.tif 000014